(57)【要約】【課題】電流計の取り付け作業における作業性を向上させる。【解決手段】  地上に架設された活線を囲む状態に取り付けられる開閉可能な環状のＣＴクランプを備え、活線を流れる電流をＣＴクランプを介して検出するクランプ式電流計の落下を防止する落下防止具１であって、クランプ式電流計に取り付けられ、この電流計の一部を保持する電気絶縁性のベルト状保持部材１０と、絶縁操作棒の先端に着脱可能な状態で取り付けられ、活線に対して固定される電気絶縁性の固定部材２０と、一端にベルト状保持部材が取り付けられるとともに他端に固定部材が取り付けられる電気絶縁性の連結紐３０とを有する。【選択図】図１
2012023866.tif 000002
【特許請求の範囲】
【請求項１】
地上に架設された活線を囲む状態に取り付けられる開閉可能な環状のクランプ部を備え、前記活線を流れる電流を前記クランプ部を介して検出するクランプ式電流計の落下を防止する落下防止具であって、
前記クランプ式電流計に取り付けられ、前記クランプ式電流計の一部を保持する電気絶縁性の保持部材と、
絶縁操作棒の先端に着脱可能な状態で取り付けられ、前記活線に対して固定される電気絶縁性の固定部材と、
一端に前記保持部材が取り付けられるとともに他端に前記固定部材が取り付けられる電気絶縁性の連結紐と
を有することを特徴とするクランプ式電流計の落下防止具。
【請求項２】
前記保持部材は、
一方の表面に面ファスナーのフック部が設けられ、他方の表面に前記面ファスナーのループ部が設けられるベルト状保持部材であることを特徴とする請求項１に記載のクランプ式電流計の落下防止具。
【請求項３】
前記保持部材は、
前記クランプ式電流計の本体部分が収納され、上面が開放された電気絶縁性を有する箱状のケースと、
前記ケースに設けられ、保持されるクランプ式電流計を前記ケース内に固定するための固定ベルトと、
前記ケースの底面に設けられ、他の絶縁操作棒の先端に着脱可能な状態で取り付けられる取り付け具と
を有するケース状保持部材であることを特徴とする請求項１に記載のクランプ式電流計の落下防止具。
【請求項４】
前記保持部材は、
前記クランプ式電流計の本体部分が収納され、上端に開口を有するとともに紐を通すための紐通し部が前記開口に沿って設けられ、かつ、電気絶縁性のメッシュ素材で作製されたメッシュ袋と、
前記紐通し部に取り付けられるとともに、前記紐通し部から露出した露出部分に前記連結紐の一端が取り付けられる電気絶縁性の環状紐と
を有する袋状保持部材であることを特徴とする請求項１に記載のクランプ式電流計の落下防止具。
【請求項５】
地上に架設された活線を囲む状態に取り付けられる開閉可能な環状のクランプ部を備え、前記活線を流れる電流を前記クランプ部を介して検出するクランプ式電流計を、前記活線に取り付ける取り付け方法であって、
電気絶縁性の連結紐の一端に取り付けられた電気絶縁性の保持部材により、前記クランプ式電流計の一部を保持するステップと、
前記連結紐の他端に取り付けられた電気絶縁性の固定部材を、絶縁操作棒の先端に取り付けるステップと、
他の絶縁操作棒の先端部分に前記クランプ式電流計を取り付けた状態で前記クランプ式電流計を上方へ移動させるとともに、前記絶縁操作棒の先端に取り付けられた状態の前記固定部材を上方へ移動させるステップと、
前記絶縁操作棒を操作して前記固定部材を前記活線に取り付けるステップと、
前記他の絶縁操作棒を操作して、前記クランプ部が前記活線を囲む状態に前記クランプ式電流計を取り付けるステップと
を有することを特徴とするクランプ式電流計の取り付け方法。
【発明の詳細な説明】
【技術分野】
【０００１】
本発明は、クランプ式電流計の落下防止具、及び、クランプ式電流計の取り付け方法に関する。
【背景技術】
【０００２】
地上に架設された高圧活線や低圧活線を流れる電流を記録する電流計として、ＣＴクランプ式電流計が知られている。この電流計では、活線を囲む状態にＣＴクランプを取り付けている。そして、ＣＴクランプで発生した磁場の強度に基づき、活線を流れる電流を計測している。このような電流計では、数日程度の所定期間に亘って活線を流れる電流値を記録することがある。この場合、安全上の観点から、活線に吊り下げられた電流計が落下しないように対策を施す必要がある。
【０００３】
特許文献１に記載の装置は、電流計用の収容空間を有するボックス状の装置本体と、この装置本体の前後板にピンを介して揺動可能に連結された一対の板状係止部材と、板状係止部材を操作する操作部材と、前板の上端側にピンを介して揺動可能に設けられた電線感知レバーとを有している。そして、操作部材は、係止部材に係止して揺動しないようにロックされる。また、操作部材は、電流計の取り付けや取り外し時に係止部材から外されて、係止部材のロックを解除する。
【先行技術文献】
【特許文献】
【０００４】
【特許文献１】特開平１１−３４６４０９号公報
【発明の概要】
【発明が解決しようとする課題】
【０００５】
活線への電流計の取り付けは、間接活線工法で行われる。この工法では、電気絶縁性を有する絶縁操作棒や絶縁ヤットコといった間接活線工具が用いられる。この間接活線工具は数メートル程度の長さを有しており、電流計は間接活線工具の先端部分に取り付けられる。工具が長いため、この工具における先端部分の重さは、作業性に大きな影響を与える。従って、電流計に取り付けられる落下防止具は、極力軽量であることが求められる。
【０００６】
本発明は、このような事情に鑑みてなされたものであり、その主たる目的は、落下防止具の軽量化を図り、電流計の取り付け作業における作業性を向上させることにある。
【課題を解決するための手段】
【０００７】
前記課題を解決するため、本発明は、地上に架設された活線を囲む状態に取り付けられる開閉可能な環状のクランプ部を備え、前記活線を流れる電流を前記クランプ部を介して検出するクランプ式電流計の落下を防止する落下防止具であって、前記クランプ式電流計に取り付けられ、前記クランプ式電流計の一部を保持する電気絶縁性の保持部材と、絶縁操作棒の先端に着脱可能な状態で取り付けられ、前記活線に対して固定される電気絶縁性の固定部材と、一端に前記保持部材が取り付けられるとともに他端に前記固定部材が取り付けられる電気絶縁性の連結紐とを有することを特徴とする。
【０００８】
また、本発明は、地上に架設された活線を囲む状態に取り付けられる開閉可能な環状のクランプ部を備え、前記活線を流れる電流を前記クランプ部を介して検出するクランプ式電流計を、前記活線に取り付ける取り付け方法であって、電気絶縁性の連結紐の一端に取り付けられた電気絶縁性の保持部材により、前記クランプ式電流計の一部を保持するステップと、前記連結紐の他端に取り付けられた電気絶縁性の固定部材を、絶縁操作棒の先端に取り付けるステップと、他の絶縁操作棒の先端部分に前記クランプ式電流計を取り付けた状態で前記クランプ式電流計を上方へ移動させるとともに、前記絶縁操作棒の先端に取り付けられた状態の前記固定部材を上方へ移動させるステップと、前記絶縁操作棒を操作して前記固定部材を前記活線に取り付けるステップと、前記他の絶縁操作棒を操作して、前記クランプ部が前記活線を囲む状態に前記クランプ式電流計を取り付けるステップとを有することを特徴とする。
【発明の効果】
【０００９】
本発明によれば、電流計の取り付け作業における作業性を向上させることができる。
【図面の簡単な説明】
【００１０】
【図１】第１実施形態の落下防止具を説明する図である。
【図２】（ａ）は固定部材の正面図、（ｂ）は固定部材の側面図である。
【図３】クランプ式電流計を説明する図である。
【図４】絶縁容器及び絶縁操作棒の上部を説明する図である。
【図５】電流計の活線への取り付け作業を説明する図であり、電流計と固定部材を活線に近付けている状態を説明する図である。
【図６】固定部材を活線に取り付けている状態を説明する図である。
【図７】（ａ）及び（ｂ）は何れも、電流計を活線に取り付けた状態を説明する図である。
【図８】電流計が活線から外れ、落下防止具によって落下が防止されている状態を説明する図である。
【図９】（ａ）は第２実施形態の落下防止具を説明する斜視図である。（ｂ）は箱状ケースの底面に設けられた取り付け具（雌側回転取付部）を説明する図である。
【図１０】（ａ）は箱状ケースの取り付け具に接続される絶縁操作棒を説明する図である。（ｂ）は図１０（ａ）におけるＡ部拡大図であり、絶縁操作棒の先端に設けられた雄側回転取付部を説明する図である。
【図１１】電流計の活線への取り付け作業を説明する図であり、活線に巻回されたバインド線に固定部材を取り付けた状態を説明する図である。
【図１２】電流計を活線に取り付けた状態を説明する図である。
【図１３】第３実施形態の落下防止具を説明する図である。
【発明を実施するための形態】
【００１１】
以下、本発明の第１実施形態について説明する。
【００１２】
図１に示す落下防止具１は、ベルト状保持部材１０と、固定部材２０と、連結紐３０とを有している。
【００１３】
ベルト状保持部材１０は、図３に示すクランプ式電流計４０の一部を保持する。図１に示すように、ベルト状保持部材１０は、ベルト状（矩形帯状）に形成された基材１１と、この基材１１における一方の表面に設けられたフック部１２と、基材１１における他方の表面に設けられたループ部１３とを有している。これらのフック部１２とループ部１３の組は、面ファスナーを構成する。すなわち、フック部１２をループ部１３に押し付けると、フック部１２が有する複数のフックがループ部１３が有する複数の各ループに引っ掛かり、フック部１２とループ部１３が着脱可能な状態で接合される。本実施形態において、ベルト状保持部材１０は、ナイロン等の電気絶縁性を有する素材で作製される。
【００１４】
固定部材２０は、地上に架設された高圧活線や低圧活線に取り付けられる部分である。図２に示すように、本実施形態の固定部材２０は、本体部２１と、挟持片２２と、操作部２３と、回転防止アーム２４とを有しており、電気絶縁性の素材（例えば樹脂素材）によって作製されている。
【００１５】
本体部２１は、側面視略コ字状の保持溝２１ａが正面から見て左右方向に形成された部材であり、この保持溝２１ａ内に活線Ｘを保持する。挟持片２２は、保持溝２１ａ内を上下方向へ移動可能に取り付けられた板状部材であり、その上面には活線Ｘを載せるための浅溝２２ａが形成されている。
【００１６】
操作部２３は、絶縁操作棒８１（図５等を参照）に対して着脱可能に取り付けられる部分であるとともに、挟持片２２を上下方向に移動させる部分である。この操作部２３は、回転軸２３ａと羽根部２３ｂとを有しており、回転軸２３ａの周面に羽根部２３ｂが取り付けられている。回転軸２３ａは、本体部２１の底面に軸方向に回転可能な状態で取り付けられている。
【００１７】
回転軸２３ａの上端部と挟持片２２との間は、雄ねじと雌ねじの組で接続されている。そして、絶縁操作棒８１を操作部２３に取り付けた状態で、この絶縁操作棒８１を所定方向に回転させると、羽根部２３ｂを通じて回転軸２３ａに回転力が伝達される。これにより、回転軸２３ａが所定方向に回転し、挟持片２２は保持溝２１ａ内を上昇する。同様に、絶縁操作棒８１を反対方向に回転させると、回転軸２３ａが反対方向に回転し、挟持片２２は保持溝２１ａ内を下降する。
【００１８】
回転防止アーム２４は、絶縁操作棒８１によって操作部２３を回転させる際に、固定部材２０（本体部２１）が絶縁操作棒８１とともに回転しないように支える部分である。本実施形態の回転防止アーム２４は、本体部２１における上面左右端のそれぞれから斜め下方に伸びる一対の板片によって構成されている。そして、各回転防止アーム２４の下端には、活線Ｘが嵌る円弧状の切り欠き２４ａが形成されている。このため、各切り欠き２４ａに活線Ｘを嵌めた状態で絶縁操作棒８１を回転させることで、本体部２１の回転を防止しつつ操作部２３（回転軸２３ａ）を回転させることができる。
【００１９】
この固定部材２０では、各回転防止アーム２４の切り欠き２４ａに活線Ｘを嵌めた状態で、絶縁操作棒８１によって操作部２３を所定方向に回転させると、挟持片２２を上方向へ移動させることができる。そして、活線Ｘが保持溝２１ａの上面と挟持片２２とで挟まれるまで操作部２３を所定方向に回転させることにより、固定部材２０を活線Ｘに固定することができる。
【００２０】
連結紐３０は、一端にベルト状保持部材１０が取り付けられるとともに他端に固定部材２０が取り付けられる電気絶縁性を有する紐材である。この連結紐３０は、命綱として機能するものであり、クランプ式電流計４０が地上へ落下しないように、このクランプ式電流計４０を活線Ｘにつなぎ止める。このため、連結紐３０の長さは、活線Ｘから地表までの高さよりも十分に短い長さに定められる。例えば、５０ｃｍから２ｍ程度の範囲に定められる。
【００２１】
本実施形態では、連結紐３０の一端がベルト状保持部材１０の基材１１に接合されている。具体的には、基材１１における長手方向と直交する方向に、連結紐３０の一端が縫い付けられている。また、連結紐３０の他端は、固定部材２０の回転軸２３ａに巻回されている。具体的には、連結紐３０の他端は、回転軸２３ａにおける羽根部２３ｂと本体部２１との間でループ状に折り返されており、固定金具３０ａで結合されている。
【００２２】
この連結紐３０は、一端が固定部材２０を介して活線Ｘに取り付けられていることから、電気絶縁性を有することが求められる。また、クランプ式電流計４０の重量がかかってもちぎれない程度の強度を有することが求められる。これらの条件を満たすものとして、塩化ビニール製の紐が好適に用いられる。本実施形態ではエスロンロープ（商品名）が用いられている。
【００２３】
次に、クランプ式電流計４０について説明する。
【００２４】
図３に示すクランプ式電流計４０は、ＣＴクランプ４１（クランプ部）と、電流計本体４２（本体部分）とを有する。ＣＴクランプ４１は、例えばコイルが適宜巻回されたコアを備えた環状の部分であり、電流計本体４２の上部に設けられている。このＣＴクランプ４１は、活線Ｘを囲む状態に取り付けられるものであり、固定クランプ４１ａと可動クランプ４１ｂとを有している。
【００２５】
固定クランプ４１ａは、電流計本体４２の上面からこの電流計本体４２と一体に設けられている。また、可動クランプ４１ｂは、固定クランプ４１ａに対して開閉可能な状態で電流計本体４２に軸支されている。すなわち、回動軸４３を中心に回動可能な状態で取り付けられている。
【００２６】
可動クランプ４１ｂは、バネ（図示せず）によって固定クランプ４１ａ側に押し付けられている。このバネからの力によって、通常、ＣＴクランプ４１は閉状態とされている。閉状態のＣＴクランプ４１を開状態にする場合、可動クランプ４１ｂの下端部に一体に設けられたハンドル４４が操作される。バネからの力に抗してハンドル４４を電流計本体４２側へ押し込むことで、可動クランプ４１ｂの先端が固定クランプ４１ａから離隔する方向に移動する。これにより、固定クランプ４１ａと可動クランプ４１ｂとの間に隙間が生じ、ＣＴクランプ４１が開状態になる。
【００２７】
また、ハンドル４４の下方にはロック機構４５が設けられている。このロック機構４５はＣＴクランプ４１を閉状態でロックするためのものであり、ロック釦４５ａと摺動溝４５ｂとを有している。ロック釦４５ａが摺動溝４５ｂにおける上端まで移動されると、ハンドル４４が閉状態を保ったまま固定される。一方、このロック釦４５ａが摺動溝４５ｂにおける下端まで移動されると、可動ハンドル４４は回動軸４３を中心に回動させることができる。
【００２８】
電流計本体４２は縦長の箱状をしており、その内部にはＣＴクランプ４１で発生した磁場の強度を検出する検出機構、検出された磁場の強度から活線Ｘを流れる電流値を測定する測定機構、及び、測定された電流値をメモリに記録する記録機構等が配置されている（何れも図示せず）。従って、このクランプ式電流計４０では、ＣＴクランプ４１の環内に活線Ｘを位置付けると、この活線Ｘの周りに発生する磁場の強度から活線Ｘを流れる電流値を測定でき、メモリに記録される。
【００２９】
そして、前述したベルト状保持部材１０は、可動クランプ４１ｂにおける長手方向の中間位置で、この可動クランプ４１ｂに巻付けられた状態で取り付けられている。このとき、ベルト状保持部材１０をきつめに巻付けることで、フック部１２がループ部１３に係止して可動クランプ４１ｂからのベルト状保持部材１０の脱落が防止される。
【００３０】
このクランプ式電流計４０を活線Ｘに取り付ける際には、図４に示すような、絶縁容器９０が先端に取り付けられた絶縁操作棒８２を用いる。
【００３１】
絶縁容器９０は、上面が開放された箱状をしており、電気的絶縁性を有するプラスチックにより作製されている。この絶縁容器９０は、クランプ式電流計４０における電流計本体４２を収納するものである。このため、狭幅側面の上端部には、ロック釦４５ａを露出させるための矩形状の切り欠き９１が形成されている。そして、この絶縁容器９０に電流計本体４２が収納されると、ＣＴクランプ４１が容器上端よりも上方に位置するとともに、切り欠きからロック釦４５ａが露出される。
【００３２】
絶縁容器９０の底面には取り付け具９２が設けてあり、この取り付け具９２を介して絶縁操作棒８２の先端部が取り付けられている。この絶縁操作棒８２は、電気絶縁性を有する棒状部材であり、継ぎ足しによって長さを調整することができる。従って、地上から数ｍの高さの活線Ｘであっても、地上からの操作によってクランプ式電流計４０を取り付けることができる。
【００３３】
次に、本実施形態の落下防止具１を用いたクランプ式電流計４０の活線Ｘへの装着作業について説明する。
【００３４】
この装着作業では、まず図５に示すように、落下防止具１が取り付けられたクランプ式電流計４０を絶縁容器９０に収納する。そして、絶縁ヤットコ８３（絶縁操作棒８３ａの先端に物を挟むための一対の板状アダプタ８３ｂを取り付けたもの）によってハンドル４４（図３を参照）を電流計本体４２側に押し込み、ＣＴクランプ４１を開状態に維持する。また、固定部材２０の操作部２３には、他の絶縁操作棒８１を取り付ける。
【００３５】
次に、クランプ式電流計４０及び固定部材２０を上昇させて活線Ｘに近付ける。このとき、ＣＴクランプ４１の高さと固定部材２０の高さが同程度となるようにする。また、この上昇時においても、絶縁ヤットコ８３によってＣＴクランプ４１の開状態を維持する。
【００３６】
クランプ式電流計４０と固定部材２０とが活線Ｘに対して十分に近付いたならば、図６に示すように、固定部材２０を活線Ｘに固定する。この場合、保持溝２１ａの位置を活線Ｘの高さにあわせた後、固定部材２０を活線Ｘ側に移動させることで、保持溝２１ａ内に活線Ｘを入れる。活線Ｘを入れたならば、固定部材２０を上下方向に移動させて回転防止アーム２４の切り欠き２４ａに活線Ｘを嵌める。その後、絶縁操作棒８１を軸周りに回転させることで、挟持片２２を保持溝２１ａ内で上昇させる。そして、活線Ｘが保持溝２１ａの上面と挟持片２２とで挟まれるまで絶縁操作棒８１を回転させ、固定部材２０を活線Ｘに固定する。固定部材２０が固定されたならば、絶縁操作棒８１を操作部２３から取り外す。
【００３７】
次に、クランプ式電流計４０を活線Ｘに取り付ける。この場合、絶縁ヤットコ８３によってＣＴクランプ４１の開状態を維持したまま、絶縁操作棒８２と絶縁ヤットコ８３とを操作し、ＣＴクランプ４１の環内に活線Ｘを位置付ける。すなわち、固定クランプ４１ａと可動クランプ４１ｂとの間に形成される隙間を活線Ｘの高さに位置付ける。その後、クランプ式電流計４０を活線Ｘの方向に移動させ、ＣＴクランプ４１の環内に活線Ｘを入れる。活線ＸがＣＴクランプ４１の環内に入ったならば、絶縁ヤットコ８３によるハンドル４４の押し込み状態を解いてＣＴクランプ４１を閉状態にする。また、絶縁ヤットコ８３を用いてロック釦４５ａを押し上げ、ＣＴクランプ４１を閉状態でロックする。
【００３８】
これにより、図７に示すように、ＣＴクランプ４１の環内に活線Ｘが位置付けられた状態でＣＴクランプ４１がロックされ、クランプ式電流計４０が活線Ｘに取り付けられる。クランプ式電流計４０が取り付けられたならば、絶縁操作棒８２を下方に移動させて絶縁容器９０をクランプ式電流計４０から外す。これにより、クランプ式電流計４０の装着作業が完了する。
【００３９】
以上の手順で取り付けられたクランプ式電流計４０では、図８に示すように、ＣＴクランプ４１のロックが外れ、万一、ＣＴクランプ４１が活線Ｘから外れてしまったとしても、落下防止具１によってクランプ式電流計４０の地上への落下が防止される。
【００４０】
ここで、本実施形態の落下防止具１は、クランプ式電流計４０に取り付けられ、このクランプ式電流計４０の一部を保持する電気絶縁性のベルト状保持部材１０と、絶縁操作棒８１の先端に着脱可能な状態で取り付けられ、活線Ｘに対して固定される電気絶縁性の固定部材２０と、一端にベルト状保持部材１０が取り付けられるとともに他端に固定部材２０が取り付けられる電気絶縁性の連結紐３０とを有しているので、構成が簡素化できて軽量化が容易である。これにより、クランプ式電流計４０の取り付け作業における作業性を向上させることができる。
【００４１】
特に、本実施形態で用いられているベルト状保持部材１０は、ベルト状の基材１１における一方の表面に面ファスナーのフック部１２が設けられ、他方の表面にこの面ファスナーのループ部１３が設けられているため、軽量化が極めて容易である。さらに、可動クランプ４１ｂへの取り付け時には、可動クランプ４１ｂの表面に沿ってベルト状保持部材１０を巻き付ければ済むので、作業も容易である。さらに、このベルト状保持部材１０は、電流計本体４２に対して縦方向や横方向に巻付けることもできるので、取り付け場所に自由度を持たせることができる。すなわち、形状が異なる種々のクランプ式電流計であっても容易に対応することができる。
【００４２】
次に、本発明の第２実施形態について説明する。
【００４３】
図９に示すように、第２実施形態の落下防止具２では、連結紐３０の一端にケース状保持部材５０が取り付けられ、連結紐３０の他端にフック状固定部材６０が取り付けられている。
【００４４】
ケース状保持部材５０は、箱状ケース５１と、固定ベルト５２と、取り付け具５３とを有している。
【００４５】
箱状ケース５１は、クランプ式電流計４０における電流計本体４２（本体部分）を収納するものであり、前述の絶縁容器９０と同様に構成されている。すなわち、この箱状ケース５１もまた、上面が開放された箱状をしており、電気的絶縁性を有するプラスチックにより作製されている。そして、狭幅側面の上端部には、ロック釦４５ａを露出させるための矩形状の切り欠き５１ａが形成されている。
【００４６】
固定ベルト５２は、箱状ケース５１に収納されたクランプ式電流計４０を箱状ケース５１内に固定するための部材である。本実施形態の固定ベルト５２は、箱状ケース５１が有する一対の広幅側面のそれぞれに取り付けられている。すなわち、固定ベルト５２の長手方向を上下方向に向け、固定ベルト５２の下側半分を広幅側面の上側であって横方向の中央に接合している。そして、一方の固定ベルト５２ａの表面には面ファスナーのループ部５２ｃを、他方の固定ベルト５２ｂの表面には面ファスナーのフック部５２ｂをそれぞれ設けている。
【００４７】
これらの固定ベルト５２ａ，５２ｂは、クランプ式電流計４０の収納状態において、固定クランプ４１ａの一部を上側から覆うように取り付けられる。すなわち、面ファスナーのループ部５２ｃにフック部５２ｄが係止されるように、一方の固定ベルト５２ａと他方の固定ベルト５２ｂとが重ね合わせられる。このような固定ベルト５２により、箱状ケース５１がクランプ式電流計４０から落下しないように取り付けられる。言い換えれば、クランプ式電流計４０が箱状ケース５１内に固定される。
【００４８】
また、本実施形態では、一方の固定ベルト５２にＤリング５４を取り付けている。このＤリング５４は、連結紐３０の一端が取り付けられる部分である。すなわち、Ｄリング５４の内側を通すように連結紐３０の一端をループ状に折り返し、固定金具３０ｂで固定している。
【００４９】
取り付け具５３は、絶縁操作棒８２の先端部８２ａとの取り付け部を構成する部分であり、箱状ケース５１の底面の中心位置に取り付けられている。本実施形態の取り付け具５３は、雌側回転取付部によって構成されている。一方、図１０に示すように、絶縁操作棒８２の先端部８２ａは、雄側回転取付部として構成されている。そして、取り付け具５３に、絶縁操作棒８２の先端部８１ａが取り付けられる。すなわち、雌側回転取付部と雄側回転取付部とによってツイストロック機構が構成される。このため、絶縁操作棒８２を箱状ケース５１側に押し込んだ状態で、絶縁操作棒８２を軸周りに回転させれば、絶縁操作棒８２の先端部８２ａに箱状ケース５１を取り付けたり、絶縁操作棒８２を箱状ケース５１から取り外したりすることができる。
【００５０】
連結紐３０の他端に取り付けられるフック状固定部材６０は、電気絶縁性及び弾性を有する樹脂板をＵ字状に折り返すとともに、折り返した先端部分を谷状に屈曲させて抜け止め６１を形成したものである。
【００５１】
次に、本実施形態の落下防止具２を用いたクランプ式電流計４０の活線Ｘへの装着作業について説明する。
【００５２】
この装着作業では、まず図１１に示すように、フック状固定部材６０を活線Ｘに固定する。本実施形態においては、Ｕ字状部８４ａを有するバインド線８４を予め活線Ｘに取り付けておき、フック状固定部材６０用の引っ掛け部を設けておく。そして、箱状ケース５１に電流計本体４２を収納し、固定ベルト５２でクランプ式電流計４０を固定する。また、第１実施形態と同様に絶縁ヤットコ８３（図示せず）によってＣＴクランプ４１を開状態に維持する。
【００５３】
次に、絶縁操作棒の先端部にフック状固定部材６０を取り付けた状態で、クランプ式電流計４０とフック状固定部材６０とを上方に移動させる。クランプ式電流計４０とフック状固定部材６０とを活線Ｘの近傍に位置付けたならば、フック状固定部材６０をバインド線８４のＵ字状部８４ａに取り付ける。この場合、絶縁操作棒を操作し、フック状固定部材６０の抜け止めをＵ字状部８４ａの上方に位置付けた後、フック状固定部材６０を下方向に移動させる。これにより、フック状固定部材６０がＵ字状部８４ａに取り付けられ、活線Ｘに固定される。
【００５４】
フック状固定部材６０を取り付けたならば、クランプ式電流計４０を活線Ｘに取り付ける。この手順は第１実施形態と同様である。簡単に説明すると、ＣＴクランプ４１の開状態を維持したまま、環内に活線Ｘを位置付け、その後にＣＴクランプ４１を閉状態にしてロックする。
【００５５】
クランプ式電流計４０を活線Ｘに取り付けたならば、図１２に示すように、絶縁操作棒８２をケース状保持部材５０から取り外す。前述したように、ケース状保持部材５０と絶縁操作棒８２とは、いわゆるツイストロック機構で取り付けられている。このため、絶縁操作棒８２を取り外す際には、絶縁操作棒８２を上方に移動させて活線Ｘから反力を得た状態で、絶縁操作棒８２を軸周りに回転させる。このようにすれば、クランプ式電流計４０が活線Ｘに取り付けられた状態であっても、絶縁操作棒８２を取り外すことができる。そして、絶縁操作棒８２の取り外しによって、クランプ式電流計４０の装着作業が終了する。
【００５６】
本実施形態でも、ＣＴクランプ４１のロックが外れ、万一、ＣＴクランプ４１が活線Ｘから外れてしまったとしても、落下防止具２によってクランプ式電流計４０の地上への落下を防止することができる。
【００５７】
ここで、本実施形態のケース状保持部材５０は、クランプ式電流計４０の電流計本体４２が収納され、上面が開放された電気絶縁性を有する箱状ケース５１と、この箱状ケース５１に設けられ、保持されるクランプ式電流計４０をケース内に固定するための固定ベルト５２と、箱状ケース５１の底面に設けられ、絶縁操作棒の先端に着脱可能な状態で取り付けられる取り付け具５３とを有している。すなわち、クランプ式電流計４０を上方へと移動させる際に用いられる箱状ケース５１を、そのまま保持部材として用いている。このため、構成の簡素化が図れる。
【００５８】
また、絶縁操作棒８２と箱状ケース５１との着脱を、雌側回転取付部である取り付け具５３及び雄側回転取付部である先端部８２ａ（すなわちツイストロック機構）によって行っているため、クランプ式電流計４０が活線Ｘの高さにあっても、地上からの操作で絶縁操作棒８２を容易に取り外すことができる。
【００５９】
さらに、本実施形態では、フック状固定部材６０を、Ｕ字状部８４ａを有するバインド線８４を介して活線Ｘに固定しているため、フック状固定部材６０を活線Ｘに対して容易に固定することができる。
【００６０】
次に、本発明の第３実施形態について説明する。第３実施形態の落下防止具では、図１３に示すように、第２実施形態のケース状保持部材５０に代えて、袋状保持部材７０が用いられている。
【００６１】
この袋状保持部材７０は、メッシュ袋７１と、環状紐７２とを有している。メッシュ袋７１は、電気絶縁性のメッシュ素材で作製された袋状部材であり、クランプ式電流計４０における電流計本体４２が収納される。本実施形態のメッシュ袋７１は、電流計本体４２の形状にあわせて、上面開放の直方体状に作成されている。メッシュ袋７１の上端開口には、環状紐７２を通すための筒状の紐通し部７３がこの開口に沿って設けられている。環状紐７２は、電気絶縁性を有する素材で作成された環状の紐であり、紐通し部７３に取り付けられている。紐通し部７３から露出した環状紐７２の露出部分には、連結紐３０の一端が取り付けられている。
【００６２】
本実施形態では、２本の環状紐７２ａ，７２ｂが紐通し部７３に通されており、それぞれの露出部分に連結紐３０の一端が取り付けられている。そして、各環状紐７２ａ，７２ｂが２本の連結紐３０Ａ，３０Ｂによって引っ張られると、メッシュ袋７１の開口が狭められるように構成されている。このため、一方の連結紐３０Ａと他方の連結紐３０Ｂをそれぞれ離隔させて活線Ｘに取り付けると、クランプ式電流計４０の自重によって各環状紐７２ａ，７２ｂが連結紐３０を介して引っ張られる。これに伴い、メッシュ袋７１の開口が狭められ、クランプ式電流計４０のメッシュ袋７１からの脱落が防止される。
【００６３】
このように、本実施形態では、袋状保持部材７０によってクランプ式電流計４０を保持しているので、落下防止具３を容易に軽量化でき、電流計の取り付け作業における作業性を向上させることができる。
【００６４】
また、クランプ式電流計４０の自重によってメッシュ袋７１の開口を狭めることができるので、構成の簡素化が図れるし、クランプ式電流計４０のメッシュ袋７１からの脱落を確実に防止することができる。
【００６５】
以上、本発明の好適な実施形態について説明したが、この実施形態は、本発明の理解を容易にするためのものであり、本発明を限定して解釈するためのものではない。本発明は、その趣旨を逸脱することなく、変更、改良され得ると共に、その等価物が含まれる。
【００６６】
例えば、固定部材２０を、バインド線によって構成してもよい。また、連結紐３０を、伸縮性を備えた素材で構成してもよい。
【符号の説明】
【００６７】
１…落下防止具，２…落下防止具，１０…ベルト状保持部材，１１…基材，１２…フック部，１３…ループ部，２０…固定部材，２１…本体部，２２…挟持片，２２ａ…浅溝，２３…操作部，２４…回転防止アーム，２４ａ…切り欠き，３０…連結紐，３０Ａ…一方の連結紐，３０Ｂ…他方の連結紐，３０ａ…固定金具，３０ｂ…固定金具，４０…クランプ式電流計，４１…ＣＴクランプ，４１ａ…固定クランプ，４１ｂ…可動クランプ，４２…電流計本体，４３…回動軸，４４…ハンドル，４５…ロック機構，４５ａ…ロック釦，４５ｂ…摺動溝，５０…ケース状保持部材，５１…箱状ケース，５１ａ…切り欠き，５２…固定ベルト，５２ａ…一方の固定ベルト，５２ｂ…他方の固定ベルト，５２ｃ…ループ部，５２ｂ…フック部，５３…取り付け具，５４…Ｄリング，６０…フック状固定部材，６１…抜け止め，７０…袋状保持部材，７１…メッシュ袋，７２…環状紐，７３…紐通し部，８１…絶縁操作棒，８２…絶縁操作棒，８２ａ…先端部，８３…絶縁ヤットコ，８３ａ…絶縁操作棒，８３ｂ…板状アダプタ，８４…バインド線，８４ａ…Ｕ字状部，９０…絶縁容器，９１…切り欠き，９２…取り付け具，Ｘ…活線
【図１】
2012023866.tif 000003
【図２】
2012023866.tif 000004
【図３】
2012023866.tif 000005
【図４】
2012023866.tif 000006
【図５】
2012023866.tif 000007
【図６】
2012023866.tif 000008
【図７】
2012023866.tif 000009
【図８】
2012023866.tif 000010
【図９】
2012023866.tif 000011
【図１０】
2012023866.tif 000012
【図１１】
2012023866.tif 000013
【図１２】
2012023866.tif 000014
【図１３】
2012023866.tif 000015